(57)【要約】      （修正有）【課題】病原微生物の吸引を低減させることができるマスク装着補助具を提供する。【解決手段】マスク装着補助具４０は、本体２０と、本体２０の左右の端部に配設される紐３０と、を備えるマスク１０の外側に装着されるものであり、マスク１０の装着者Ｐの顔Ｆとは反対側に配される本体フレーム５０と、本体フレーム５０の左右の端部に配設される取付体としてのゴム紐６０と、本体フレーム５０のマスク１０の本体２０に対向する側に配されるパッド部材７０と、を備える。【選択図】図２
0003231757.tif 000002
【実用新案登録請求の範囲】
【請求項１】
本体と、前記本体の左右の端部に配設される紐と、を備えるマスクの外側に装着されるものであり、
前記マスクの装着者の顔とは反対側に配される本体フレームと、
前記本体フレームの左右の端部に配設される取付体と、
前記本体フレームの前記マスクの前記本体に対向する側に配されるパッド部材と、
を備えることを特徴とするマスク装着補助具。
【請求項２】
前記パッド部材は、前記装着者の顔の形状に対応する形状とされるとともに、前記装着者の顔と前記マスクの前記本体との間に生じる隙間を押圧可能とされていることを特徴とする請求項１記載のマスク装着補助具。
【請求項３】
前記本体フレームは、前記装着者の鼻を挟んで左右の頬に跨る平板状とされ、左右方向における中央部に屈曲部が形成されていることを特徴とする請求項１又は２記載のマスク装着補助具。
【考案の詳細な説明】
【技術分野】
【０００１】
本考案は、マスクを使用するときに用いられるマスク装着補助具に関するものである。
【背景技術】
【０００２】
従来のマスクでは、本体と、本体の左右の端部に配設される紐と、を備えていた。
【考案の概要】
【考案が解決しようとする課題】
【０００３】
しかし、上記のマスクでは、図３に示すように、装着者Ｐの顔Ｆとマスク１０の本体２０との間に隙間が生じ、新型コロナウイルス等の、病原微生物を吸引することとなっていた。
【０００４】
本考案は、上記事情に鑑み、病原微生物の吸引を低減させることができるマスク装着補助具を提供することを目的とする。
【課題を解決するための手段】
【０００５】
請求項１記載の考案では、本体と、前記本体の左右の端部に配設される紐と、を備えるマスクの外側に装着されるものであり、
前記マスクの装着者の顔とは反対側に配される本体フレームと、
前記本体フレームの左右の端部に配設される取付体と、
前記本体フレームの前記マスクの前記本体に対向する側に配されるパッド部材と、
を備える。
【０００６】
これによれば、本体フレームと、パッド部材により、装着者の顔とマスクの本体との間に生じる隙間を塞ぎ、病原微生物を吸引してしまうことを低減させることができる。
【０００７】
また、前記パッド部材は、前記装着者の顔の形状に対応する形状とされるとともに、前記装着者の顔と前記マスクの前記本体との間に生じる隙間を押圧可能とされている。
【０００８】
これによれば、パッド部材により、装着者の顔とマスクの本体との間に生じる隙間を塞ぎやすくなるので、病原微生物の吸引をさらに低下させることができる。
【０００９】
また、前記本体フレームは、前記装着者の鼻を挟んで左右の頬に跨る平板状とされ、左右方向における中央部に屈曲部が形成されている。
【００１０】
このような構成とすれば、装着者の顔に対応しやすくなるので、装着時の痛みを軽減させることにつながる。
【図面の簡単な説明】
【００１１】
【図１】本考案の一実施形態のマスク装着補助具の斜視図である。
【図２】同実施形態の使用状態を示す（ａ）は正面図、（ｂ）は右側面図、（ｃ）は平面図である。
【図３】従来のマスクの使用状態を示す平面図である。
【考案を実施するための形態】
【００１２】
本考案のマスク装着補助具の一実施形態について図面に基づいて説明する。
【００１３】
本実施形態におけるマスク装着補助具４０は、マスク１０の外側に装着して使用するものである。
【００１４】
マスク１０は、図２、３に示すように、本体２０と、取付体としての紐３０と、を備えている。
【００１５】
本体２０は、ガーゼ生地で形成されている。着用者が着用した状態における、本体２０の左右の端部には、取付体としてのリング状の紐３０が取り付けられている。
【００１６】
マスク装着補助具４０は、図１、２に示すように、本体フレーム５０と、取付体としてのゴム紐６０と、パッド部材７０と、を備えている。
【００１７】
本体フレーム５０は、弾性変形可能で自立可能な剛性を有する合成樹脂製で、装着したときにおける、左右方向に長い板状とされ、左右方向の中央部に屈曲部５１が形成されている。
【００１８】
本実施形態では、本体フレーム５０は、装着者Ｐの鼻を挟んで左右の頬に跨る板状とされ、左右方向における中央部、換言すれば、装着者Ｐの鼻に対応する部分に屈曲部５１が形成されていることになる。
【００１９】
本体フレーム５０の左右の端部には、ゴム製のゴム紐６０の端部がそれぞれ取り付けられている。
【００２０】
装着者Ｐがマスク１０を装着したときにおける、本体フレーム５０のマスク１０の本体２０に対向する側の面（裏面）には、パッド部材７０が配設されている。
【００２１】
パッド部材７０は、シリコーン製で、装着者Ｐの顔Ｆに押し付けられても、痛みを感じない程度の柔らかさで、弾性変形可能とされている。
【００２２】
本実施形態では、予め装着者Ｐの顔Ｆの形状に対応するように形取りをして形成され、本体フレーム５０に接着剤で接着されている。
【００２３】
マスク装着補助具４０の使用態様について説明する。図３に示すように、マスク１０の紐３０を左右の耳に掛け、本体２０で顔Ｆを覆う、通常の使用態様で、マスク１０を装着者Ｐの顔Ｆに装着する。
【００２４】
マスク１０を装着者Ｐの顔Ｆに装着した状態で、図２の（ａ）、（ｂ）、（ｃ）に示すように、本体フレーム５０を、装着者Ｐの鼻を挟んで左右の頬に跨るように配置するとともに、ゴム紐６０を装着者Ｐの耳の下を通過させて、後頭部に架け渡して、マスク装着補助具４０を装着する。
【００２５】
このとき、取付体としてのゴム紐６０により、本体フレーム５０が装着者Ｐの顔Ｆに向かって押し付けられ、それに伴い、パッド部材７０も装着者Ｐの顔Ｆに向かって押し付けられる。これにより、マスク１０の本体２０と装着者Ｐの顔Ｆとの間に生じる隙間が塞がれ、病原微生物の吸引を低減させる。
【００２６】
上記構成のマスク装着補助具４０では、本体２０と、本体２０の左右の端部に配設される紐３０と、を備えるマスク１０の外側に装着されるものであり、
マスク１０の装着者Ｐの顔Ｆとは反対側に配される本体フレーム５０と、
本体フレーム５０の左右の端部に配設される取付体としてのゴム紐６０と、
本体フレーム５０のマスク１０の本体２０に対向する側に配されるパッド部材７０と、
を備える。
【００２７】
これによれば、本体フレーム５０と、パッド部材７０により、装着者Ｐの顔Ｆとマスク１０の本体２０との間に生じる隙間を塞ぎ、病原微生物を吸引してしまうことを低減させることができる。
【００２８】
また、パッド部材７０は、装着者Ｐの顔Ｆの形状に対応する形状とされるとともに、装着者Ｐの顔Ｆとマスク１０の本体２０との間に生じる隙間を押圧可能とされている。
【００２９】
これによれば、パッド部材７０により、装着者Ｐの顔Ｆとマスク１０の本体２０との間に生じる隙間を塞ぎやすくなるので、病原微生物の吸引をさらに低下させることができる。
【００３０】
また、本体フレーム５０は、装着者Ｐの鼻を挟んで左右の頬に跨る平板状とされ、左右方向における中央部に屈曲部５１が形成されている。
【００３１】
このような構成とすれば、装着者Ｐの顔Ｆに対応しやすくなるので、装着時の痛みを軽減させることにつながる。
【００３２】
本考案のマスク装着補助具は上記構成に限定されるものではない。即ち、本考案の要旨を逸脱しない限り各種の設計変更等が可能である。以下に、変形した態様を例示する。
【００３３】
例えば、パッド部材７０は、シリコーンを用いたが、装着者Ｐに痛みを感じさせないのであれば、スポンジ、エラストマー、木材、発泡スチロール等を用いることができる。
【００３４】
また、パッド部材７０の接着方法は、両面テープ、面ファスナ等、適宜変更することができる。
【００３５】
また、本体フレーム５０は、金属、木材等を用いることができる。
【００３６】
また、取付体は、ゴム紐６０を用いたが、長さ調節可能なアジャスターを有した紐部材を用いることも可能である。マスク１０の紐３０のような態様とすることも可能である。
【符号の説明】
【００３７】
１０  マスク装着補助具
２０  本体
３０  紐
４０  マスク装着補助具
５０  本体フレーム
５１  屈曲部
６０  ゴム紐
７０  パッド部材
Ｆ  顔
Ｐ  装着者
【図１】
0003231757.tif 000003
【図２】
0003231757.tif 000004
【図３】
0003231757.tif 000005